(57)【特許請求の範囲】
【請求項１】
パウチを懸吊支持可能な本体枠部材と前記本体枠部材の前面に対向して配置されているカバー部材とを有し、
前記本体枠部材は前記パウチを懸吊部において懸吊するハンガーを上端部近傍の前記前面に備えかつ下端寄りの位置に前記前面に懸吊したパウチの背面と当接して前記パウチを受けるパウチ受け部を備え、
前記カバー部材は上端部近傍において前記本体枠部材の上端部近傍にヒンジを介して連結しており、かつ下端寄りの位置に前記本体枠部のパウチ受け部と共働して前記懸吊したパウチを押圧可能なパウチ押圧部が形成されていることを特徴とするパウチ注出用補助治具。
【請求項２】
前記パウチは定量注出パウチであることを特徴とする請求項１記載のパウチ注出用補助治具。
【請求項３】
前記カバー部材の前記パウチ押圧部には前記本体枠部のパウチ受け部と共働して前記懸吊したパウチを押圧可能な押ボタンが突出形成されていることを特徴とする請求項１記載のパウチ注出用補助治具。
【請求項４】
前記本体枠部は前記懸吊具とパウチ受部との組合せを複数個前記ヒンジの回転軸の方向に並設しており、前記カバー部材は複数の前記パウチ押圧部を前記ヒンジの回転軸の方向に並設していることを特徴とする請求項１記載のパウチ注出用補助治具。
【請求項５】
前記カバー部材の複数の前記パウチ押圧部のそれぞれは前記カバー部材の前記下端から前記上端寄りの位置まで形成されたスリットを境にして隣り合って位置していることを特徴とする請求項４記載のパウチ注出用補助治具。
【請求項６】
パウチを懸吊支持可能な本体枠部材と前記本体枠部材の前面に対向して配置されているカバー部材とを有し、前記本体枠部材は前記パウチを懸吊部において懸吊する懸吊具を上端部近傍の前記前面に備えかつ下端寄りの位置に前記前面に懸吊したパウチの背面と当接して前記パウチを受けるパウチ受け部を備え、前記カバー部材は上端部近傍において前記本体枠部材の上端部近傍にヒンジを介して連結しており、かつ下端寄りの位置に前記本体枠部のパウチ受け部と共働して前記懸吊したパウチを押圧可能なパウチ押圧部が形成されていることを特徴とするパウチ注出用補助治具に懸吊可能な定量注出パウチであって、前記パウチは注出口からの内容物の注出を案内する注出具を備えているものであって、前記注出口は前記懸吊部が形成されている端部とは反対側の端部の近傍に形成されいてることを特徴とする定量注出パウチ。
【発明の詳細な説明】
【０００１】
【産業上の利用分野】
この発明はパウチ容器に充填された液体、半液体内容物を定量ずつ注出する場合に使用する補助治具及びその補助治具を使用するのに適したパウチ容器に関するものである。
【０００２】
【従来の技術】
プラスチックフィルムをヒートシールして構成したパウチに液体内容物を充填することは従来から行われている。このパウチは硬質の容器の内容物が消費によって空になったときに内容物の詰め替えとして使用されることもあるが、最近は硬質容器の使用をさけて、パウチ自体を内容物の使用注出のための容器として使用することが考えられている。しかるに、パウチ容器は剛性が小さいので容器として一定形状を保つことが難しい。また、このことによってパウチから一定量だけ内容液を注出する定量性を持たせることが難しい。
【０００３】
そこで最近、パウチを注出口を下にして壁などから吊り下げて使用することによって、パウチの不定形性を補完することが考えられている。この場合、注出の定量性を持たせるためには、パウチの注出口に弁機構を設けたり、或いは、パウチ素材の密接性を利用することが考えられている。
【０００４】
【課題】
しかるに、吊り下げたパウチを手指で押して、内容物を押し出し注出する場合には、パウチ上の同じ位置を毎回正しく同じように押すことは困難であるために、注出量を毎回一定にすることは難しく、また、パウチの上面に押す箇所を印刷表示した場合でも、押す人によって、押し方が異なり、これによって注出の定量性を保つことができない。
【０００５】
この発明は上記の如き事情に鑑みてなされたものであって、毎回の注出毎にパウチを同じように押圧することができ、かつ取扱の容易なパウチ注出用補助治具及び定量注出パウチを提供することを目的とするものである。
【０００６】
【構成】
この目的に対応して、この発明のパウチ注出用補助治具は、パウチを懸吊支持可能な本体枠部材と前記本体枠部材の前面に対向して配置されているカバー部材とを有し、前記本体枠部材は前記パウチを懸吊部において懸吊する懸吊具を上端部近傍の前記前面に備えかつ下端寄りの位置に前記前面に懸吊したパウチの背面と当接して前記パウチを受けるパウチ受け部を備え、前記カバー部材は上端部近傍において前記本体枠部材の上端部近傍にヒンジを介して連結しており、かつ下端寄りの位置に前記本体枠部のパウチ受け部と共働して前記懸吊したパウチを押圧可能なパウチ押圧部が形成されていることを特徴としている。
【０００７】
また、この発明の定量注出パウチは、パウチを懸吊支持可能な本体枠部材と前記本体枠部材の前面に対向して配置されているカバー部材とを有し、前記本体枠部材は前記パウチを懸吊部において懸吊する懸吊具を上端部近傍の前記前面に備えかつ下端寄りの位置に前記前面に懸吊したパウチの背面と当接して前記パウチを受けるパウチ受け部を備え、前記カバー部材は上端部近傍において前記本体枠部材の上端部近傍にヒンジを介して連結しており、かつ下端寄りの位置に前記本体枠部のパウチ受け部と共働して前記懸吊したパウチを押圧可能なパウチ押圧部が形成されていることを特徴とするパウチ注出用補助治具に懸吊可能な定量注出パウチであって、前記パウチは注出口からの内容物の注出を案内する注出具を備えているものであって、前記注出口は前記懸吊部が形成されている端部とは反対側の端部の近傍に形成されいてることを特徴としている。
【０００８】
【発明の詳細な説明】
以下この発明の詳細を一実施例を示す図面について説明する。
まずパウチについて説明する。
図１は、本発明をスタンディングパウチに適用した例を示す斜視図、図２は図１のパウチを吊下げて使用する状態を示す図である。
【０００９】
このスタンディングパウチ１には、パウチ本体２の頂部近辺に先端に注出口３を有する分岐部４が設けられており、パウチの底部には内側に折り込んだガセット部（図示せず）がヒートシールされている。パウチ底部のヒートシール部５には、後述するパウチ注出用補助治具２１のハンガー２７に懸吊するための開口８が設けられている。
【００１０】
このパウチでは、パウチ本体２と分岐部４は、易剥離性シール部１０により仕切られ、分岐部４のヒートシール部１１の先端部近辺には、注出口３を形成するための易開封加工部１２が設けられている。パウチ本体２には、洗剤、シャンプー、化粧水等の液状の内容物１３が充填されている。
【００１１】
このスタンディングパウチ１を使用する際には、分岐部４をパウチ本体２の延長線上に折り返し、パウチ本体２に充填された内容物１３を掌で押圧することによって、パウチ本体２と分岐部４を仕切る易剥離性シール部１０を破壊し両者を連通させる。
【００１２】
そして、開口部８をハンガー２７に刺し通してパウチ１を逆さに垂直に懸吊する。次に分岐部４の先端部に形成した易開封加工部１２を指で開封することによって注出口３を形成する。内容物１３は、注出口３の直上部を後述するパウチ注出用補助治具２１のカバー部材２５で押圧し、注出口３を変形開口させることによって取り出すことができるが、押圧を中止すると注出口３は閉鎖される。
【００１３】
次に、以上説明したパウチについて使用する定量注出パウチ用補助治具２１について説明する。
図３から図８に示すように、定量注出パウチ用補助治具２１は本体枠部材集合体２２とカバー部材集合体２３とを有する。本体枠部材集合体２２は本体枠部材２４を後述するヒンジ２６の方向に複数個（図示の実施例の場合は３個）スリット３４または間隔子板部３７（図２１〜図３０）を間にして連設したものである。カバー部材集合体２３はカバー部材２５を複数個（図示の実施例の場合は３個）連設したものである。
【００１４】
本体枠部材２４は一対のハンガー２７を前面２８から突出させて備えていて、このハンガー２７をパウチの懸吊用の開口８に差し通すことによって、パウチを懸吊可能である。カバー部材２５は本体枠部材２４の前面２８に対向して配置されている。
【００１５】
本体枠部材２４は下端寄りの位置に懸吊したパウチ１の押部３１の背面と当接してパウチを受けるパウチ受け部３２が前方に突出して形成されている。カバー部材２５は上端近傍において、プラスチック素材を薄肉化して易撓性を与えて形成したヒンジ２６を介して本体枠部材２４の上端部近傍に連結してヒンジ２６の回転軸の回りに揺動して本体枠部材２４の前面２８を開閉可能である。また、カバー部材２５は下端位置にパウチ押圧部３３を有する。パウチ押圧部３３はカバー部材２５から本体枠部材２４に向かって突出して形成されており、本体枠部材２４のパウチ受け部３２と共働してハンガー２７から懸吊されたパウチ１を挟んで押圧し、パウチの内容物を押し出し注出することができる。カバー部材集合体２３において複数のカバー部材２５はカバー部材集合体２３の下端から上端寄りの位置まで形成されたスリット３４によって分離されている。
【００１６】
このように構成された定量注出パウチ用補助治具２１を使用して懸吊したパウチから内容物を押し出し注出する場合の操作は次の通りである。
【００１７】
定量注出パウチ用補助治具２１の本体枠部材集合体２２を洗面所の壁面などに取り付けた状態で、カバー部材集合体２３をヒンジ２６に関して回転させて開き上げ、ハンガー２７にパウチ１の懸吊用の開口を刺し通して懸吊し、カバー部材集合体２３を下げて懸吊したパウチを覆う。この時、懸吊されたパウチ１は背面６で本体枠部材２４のパウチ受け部に当接し、また前面７でカバー部材集合体２３のそれぞれのカバー部材２５のパウチ押圧部３３に当接した状態となっている。
【００１８】
次に洗顔などの時にパウチから定量の液体内容物を押し出し注出する場合には、所望のカバー部材２５を手指で本体枠部材２４に向けて押すと、カバー部材２５のパウチ押圧部３３が本体枠部材２４のパウチ受け部３２と共働パウチを挟んでパウチの押部３１を押す。
【００１９】
パウチ押圧部３３が逆止弁機構をもつ定量保持機構を備えていたり、或いはパウチの素材であるフィルムの密着性により、実質的に定量保持機能を有していたり、或いはパウチ上の押部３１の位置を選択することによって、内容物を定量だけ押し出し注出することができる。
【００２０】
図９から図１２はこの発明の他の実施例に係る定量注出パウチ用補助治具２１ｂが示されている。この定量注出パウチ用補助治具２１ｂはカバー２５のパウチ押圧部３３がカバー２５の下端先端で構成するのではなく、カバー２５の下端に平板状に形成されている。こうすることによってパウチの押圧部３１の全面を均等にかつ確実に押圧することができて、押圧部３１内の内容液を完全に押し出し注出することができる。
【００２１】
図１３から図１６はこの発明の他の実施例に係る定量注出パウチ用補助治具２１ｃが示されている。この定量注出パウチ用補助治具２１ｃはカバー２５のパウチ押圧部３３がカバー２５の下端先端で構成するのではなく、カバー２５の下端に平板状に形成されている。こうすることによってパウチの押圧部３１の全面３１を均等にかつ確実に押圧することができて、押圧部３１内の内容液を完全に押し出し注出することができる。
【００２２】
またカバー２５の背面には本体枠部材２４のハンガー２７の先端に突き当たるストッパー部３５が設けられている。
【００２３】
図１７から図２０はこの発明の他の実施例に係る定量注出パウチ用補助治具、２１ｄが示されている。この定量注出パウチ用補助治具２１ｄはカバー２５のパウチ押圧部３３がカバー２５の下端先端で構成するのではなく、カバー２５の下端に水平板部３６を介して平板状に形成されている。こうすることによってパウムの押圧部３１の全面を均等にかつ確実に押圧することができて、押圧部３１内の内容液を完全に押し出し注出することができ、かつ、水平板部３６を設けた分だけ定量注出パウチ用補助治具２１ｄの懐を深くして、厚みのあるパウチを懸吊収容することができる。
【００２４】
図２１から図２４はこの発明の他の実施例に係る定量注出パウチ用補助治具２１ｅが示されている。この定量注出パウチ用補助治具２１ｅはカバー部材２５が比較的幅が狭く構成されていて、複数のカバー部材２５がスリットを介して隣り合って並設されるのではなく、間隔子板部３７を境にして並設されている。また本体枠部材集合体２２の両端には縁板３８が立ち上がって設けられており、かつカバー部材集合体２２の両端にも縁板４１が立ち上がって設けられている。それぞれのカバー部材２５を狭幅にすることによって、パウチ上の押圧箇所を明確に限定して、押圧操作をより容易にすることができる。
【００２５】
図２５から図２８はこの発明の他の実施例に係る定量注出パウチ用補助治具２１ｆが示されている。この定量注出パウチ用補助治具２１ｆはカバー部材２５が比較的幅が狭く構成されていて、複数のカバー部材２５がスリットを介して隣り合って並設されるのではなく、間隔子板部３７を境にして並設されている。かつ狭幅のカバー部材２５の背面に矩形状の凸起形状のパウチ押圧部３３を設けている。これにより、パウチ上の押圧箇所を明確に限定して、押圧操作をより容易にすることができる。
【００２６】
図２９から図３０はこの発明の他の実施例に係る定量注出パウチ用補助治具２１ｇが示されている。この定量注出パウチ用補助治具２１ｇはカバー部材２５を比較的幅が狭く構成されていて、複数のカバー部材２５がスリットを介して隣り合って並設されるのではなく、間隔子板部３７を境にして並設されている。かつ狭幅のカバー部材２５の背面に円盤状の凸起形状のパウチ押圧部３３を設けている。これにより、パウチ上の押圧箇所を明確に限定して、押圧操作をより容易にすることができる。
【００２７】
図３１から図３４はこの発明の他の実施例に係る定量注出パウチ用補助治具２１ｈが示されている。この定量注出パウチ用補助治具２１ｈは１個のスタンディングパウチ１から定量注出をするように構成されたものである。図示のように、定量注出パウチ用補助治具２１ｈは本体枠部材２４とカバー部材２５とをヒンジ２６で連設している。
【００２８】
本体枠部材２４は一対のハンガー２７を前面２８から突出させて備えていて、このハンガー２７をパウチの懸吊用の開口８に差し通すことによって、パウチを懸吊可能である。カバー部材２５は本体枠部材２４の前面２８に対向して配置されている。
【００２９】
本体枠部材２４は下端寄りの位置に懸吊したパウチ１の押部３１の背面と当接してパウチを受けるパウチ受け部３２が前方に突出して形成されている。パウチ受け部３２は本体枠部材２４とは別部材から成り、本体枠部材２４に固着されている。カバー部材２５は上端近傍において、プラスチック素材を薄肉化して易撓性を与えて形成したヒンジ２６を介して本体枠部材２４の上端部近傍に連結してヒンジ２６の回転軸の回りに揺動して本体枠部材２４の前面２８を開閉可能である。また、カバー部材２５は下端位置に別部材からなるパウチ押圧部３３を固着して有する。パウチ押圧部３３はカバー部材２５から本体枠部材２４に向かって突出して形成されており、本体枠部材２４のパウチ受け部３２と共働してハンガー２７から懸吊されたパウチ１を挟んで押圧し、パウチの内容物を押し出し注出することができる。
【００３０】
ハンガー２７の先端部分２７ａは前方に突出していて、カバー部材２５がヒンジ２６回りに回動して本体枠部材２４の前面を閉じたときに、カバー部材２５の内面に当接してカバー部材２５の位置決めをするストッパーとして機能する。パウチ押圧部３３とパウチ受け部３２は内部を中空にしたり、櫛歯の形状にすることもできる。
【００３１】
【発明の効果】
以上の説明から明らかな通り、この発明によれば毎回の注出毎にパウチを同じ様に押圧することができ、かつ取扱の容易なパウチ注出用補助治具及び定量注出パウチを得ることができる。
【００３２】
特に本体部の垂直壁は、浴室・台所等の壁に隙間なく接するため、押圧力に対向して本体部の固定が十分になされる。従って、操作性が向上し、パウチからの定量性が確保される。ヒンジ結合部から離間した位置で、押圧部と載置台とが共同することによってパウチを押圧するため、パウチの押圧点がパウチの底部近傍となり、内容物の残量が低減される。
【００３３】
本発明に用いられるパウチは、内部に注出機構を内包しているため、パウチを付け替える毎に注出機構も新しいものに変わることになるので、内容液が接するパウチ・注出機構は常に衛生性が保たれている。また、繰り返し使用される注出補助治具は注出時の内容とは液が接することがないため、この点からも衛生性は確保されている。
【００３４】
補助治具の本体部とカバー部とをヒンジ結合としたため、一体で成形でき、低コスト化が図れる。
【００３５】
さらに本体枠部の一部に切り欠きを設け、その切り欠きに吸盤等をセットすることにより、例えば鏡面等に本発明の補助治具を吸着させて使用することが可能である。
【００３６】
【図面の簡単な説明】
【図１】パウチの斜視説明図。
【図２】パウチの使用時の状態の正面説明図。
【図３】定量注出パウチ用補助治具２１の使用時のカバーを閉じた状態の正面説明図。
【図４】定量注出パウチ用補助治具２１の使用時のカバーを閉じた状態の側面説明図。
【図５】定量注出パウチ用補助治具２１の使用時のカバーを開いた状態の正面説明図。
【図６】定量注出パウチ用補助治具２１の使用時のカバーを開いた状態の側面説明図。
【図７】定量注出パウチ用補助治具２１の使用時のカバーを閉じた状態の正面説明図。
【図８】定量注出パウチ用補助治具２１の使用時のカバーを開いた状態の正面説明図。
【図９】他の定量注出パウチ用補助治具２１ｂの使用時のカバーを閉じた状態の正面説明図。
【図１０】他の定量注出パウチ用補助治具２１ｂの使用時のカバーを閉じた状態の側面説明図。
【図１１】他の定量注出パウチ用補助治具２１ｂの使用時のカバーを開いた状態の正面説明図。
【図１２】他の定量注出パウチ用補助治具２１ｂの使用時のカバーを開いた状態の側面説明図。
【図１３】他の定量注出パウチ用補助治具２１ｃの使用時のカバーを閉じた状態の正面説明図。
【図１４】他の定量注出パウチ用補助治具２１ｃの使用時のカバーを閉じた状態の側面説明図。
【図１５】他の定量注出パウチ用補助治具２１ｃの使用時のカバーを開いた状態の正面説明図。
【図１６】他の定量注出パウチ用補助治具２１ｃの使用時のカバーを開いた状態の側面説明図。
【図１７】他の定量注出パウチ用補助治具２１ｄの使用時のカバーを閉じた状態の正面説明図。
【図１８】他の定量注出パウチ用補助治具２１ｄの使用時のカバーを閉じた状態の側面説明図。
【図１９】他の定量注出パウチ用補助治具２１ｄの使用時のカバーを開いた状態の正面説明図。
【図２０】他の定量注出パウチ用補助治具２１ｄの使用時のカバーを開いた状態の側面説明図。
【図２１】他の定量注出パウチ用補助治具２１ｅの使用時のカバーを閉じた状態の正面説明図。
【図２２】他の定量注出パウチ用補助治具２１ｅの使用時のカバーを閉じた状態の側面説明図。
【図２３】他の定量注出パウチ用補助治具２１ｅの使用時のカバーを開いた状態の正面説明図。
【図２４】他の定量注出パウチ用補助治具２１ｅの使用時のカバーを開いた状態の側面説明図。
【図２５】他の定量注出パウチ用補助治具２１ｆの使用時のカバーを閉じた状態の正面説明図。
【図２６】他の定量注出パウチ用補助治具２１ｆの使用時のカバーを閉じた状態の側面説明図。
【図２７】他の定量注出パウチ用補助治具２１ｆの使用時のカバーを開いた状態の正面説明図。
【図２８】他の定量注出パウチ用補助治具２１ｆの使用時のカバーを開いた状態の側面説明図。
【図２９】他の定量注出パウチ用補助治具２１ｇの使用時のカバーを閉じた状態の正面説明図。
【図３０】他の定量注出パウチ用補助治具２１ｇの使用時のカバーを開いた状態の正面説明図。
【図３１】他の定量注出パウチ用補助治具２１ｈの使用時のカバーを閉じた状態の正面説明図。
【図３２】他の定量注出パウチ用補助治具２１ｈの使用時のカバーを閉じた状態の側面説明図。
【図３３】他の定量注出パウチ用補助治具２１ｈの使用時のカバーを開いた状態の正面説明図。
【図３４】他の定量注出パウチ用補助治具２１ｈの使用時のカバーを開いた状態の側面説明図。
【符号の説明】
１      スタンディングパウチ
２      パウチ本体
３      注出口
４      分岐部
５      ヒートシール部
６      背面
７      前面
８      開口
１０    易剥離性シール部
１１    ヒートシール部
２１    定量注出パウチ用補助治具
２２    本体枠部材集合体
２３    カバー部材集合体
２４    本体枠部材
２５    カバー部材
２６    ヒンジ
２７    ハンガー
２８    前面
３１    押部（パウチ）
３２    パウチ受け部
３３    パウチ押圧部
３４    スリット
３５    ストッパ部
３７    間隔子板部
３８    縁板
３９    縁板
【図１】
0003800979.tif 000002
【図２】
0003800979.tif 000003
【図３】
0003800979.tif 000004
【図４】
0003800979.tif 000005
【図５】
0003800979.tif 000006
【図６】
0003800979.tif 000007
【図７】
0003800979.tif 000008
【図８】
0003800979.tif 000009
【図９】
0003800979.tif 000010
【図１０】
0003800979.tif 000011
【図１１】
0003800979.tif 000012
【図１２】
0003800979.tif 000013
【図１３】
0003800979.tif 000014
【図１４】
0003800979.tif 000015
【図１５】
0003800979.tif 000016
【図１６】
0003800979.tif 000017
【図１７】
0003800979.tif 000018
【図１８】
0003800979.tif 000019
【図１９】
0003800979.tif 000020
【図２０】
0003800979.tif 000021
【図２１】
0003800979.tif 000022
【図２２】
0003800979.tif 000023
【図２３】
0003800979.tif 000024
【図２４】
0003800979.tif 000025
【図２５】
0003800979.tif 000026
【図２６】
0003800979.tif 000027
【図２７】
0003800979.tif 000028
【図２８】
0003800979.tif 000029
【図２９】
0003800979.tif 000030
【図３０】
0003800979.tif 000031
【図３１】
0003800979.tif 000032
【図３２】
0003800979.tif 000033
【図３３】
0003800979.tif 000034
【図３４】
0003800979.tif 000035